(57)【要約】      （修正有）【課題】正確に溶液の酸化還元電位を測定するための電極洗浄機構付き酸化還元電位測定装置を提供する。【解決手段】酸化還元電位を測定しようとする測定溶液４に浸漬される作用極５及び基準極３について、作用極を基準極に対してプラス側、マイナス側に変位することができる電極洗浄機構１が酸化還元電位測定装置に具備されている。作用極をその表面に生成する被膜を除去できる電位にシフトする事により、作用極の表面をメタルの綺麗な表面に保ち、正確に酸化還元電位を測定する事ができる。【選択図】図１
0003215435.tif 000002
【実用新案登録請求の範囲】
【請求項１】
酸化還元電位を測定しようとする溶液中に浸漬される作用極及び基準極について、該作用極を基準極に対してプラス側、マイナス側に変位することを特徴とする電極洗浄機構付き酸化還元電位測定装置。
【請求項２】
作用極と基準極との間に、スイッチを介して設けられた電圧印加器から構成されていることを特徴とする請求項１に記載の電極洗浄機構付き酸化還元電位測定装置。
【請求項３】
前記作用極の電位を変位させたときに流れる電流をプラス側、マイナス側に流れる電流の合計が零になるように調整する機構を設けたことを特徴とする請求項１又は２に記載の電極洗浄機構付き酸化還元電位測定装置。
【請求項４】
酸化還元電位を測定しようとする溶液中に作用極及び基準極を浸漬し、該作用極の表面に被膜が生成したときに、該作用極の電位を変位させることにより該作用極の表面の被膜を除去することを特徴とする請求項１ないし３のいずれか１項に記載の電極洗浄機構付き酸化還元電位測定装置。
【請求項５】
前記作用極の電位を変位させる時間をプラス側１秒以上、マイナス側１秒以上とすることを特徴とする請求項１ないし４のいずれか１項に記載の電極洗浄機構付き酸化還元電位測定装置。
【請求項６】
前記作用極の電位を変位させたときにプラス側は３００ｍＶ以上にし、マイナス側は−３００ｍＶ以下とすることを特徴とする請求項１ないし５のいずれか１項に記載の電極洗浄機構付き酸化還元電位測定装置。
【考案の詳細な説明】
【技術分野】
【０００１】  本考案は、溶液の酸化還元電位を測定する装置に関し、より詳細には、酸化還元電位を安定に計測する事ができる酸化還元電位測定装置に関する。
【背景技術】
【０００２】  酸化還元電位測定装置の測定溶液に接する作用極は主に白金電極等の貴金属が使用されるが、これらの金属表面には酸化被膜等が保存中に析出しやすく、この酸化被膜等を洗浄しないと正確な酸化還元電位測定ができない。【０００３】  洗浄方法としては、作用極の表面を研磨剤などで磨く方法、硝酸などの薬品で洗浄するなどがあるが手間がかかる。【０００４】  酸化還元電位を測定しようとする溶液中に作用極及び基準極を浸漬し、作用極の表面に被膜が生成したときに、作用極の電位をマイナスに変位させることにより該作用極の表面の被膜を除去する方法も提案されているが、この方法においては、作用極と基準極以外に第３の電流印加用電極が必要となる場合があり構造が複雑であった。
【先行技術文献】
【特許文献】
【０００５】
【特許文献１】特開２０００−８８８０１号公報
【考案の概要】
【考案が解決しようとする課題】
【０００６】  本考案は、前述の従来技術の問題点を解消し、構造が簡単で、手間をかけること無く溶液の酸化還元電位を測定できる電極洗浄機構付き酸化還元電位測定装置を提供することを目的としている。
【課題を解決するための手段】
【０００７】  本考案の電極洗浄機構付き酸化還元電位測定装置は、酸化還元電位を測定しようとする溶液中に浸漬される作用極及び基準極について、該作用極を基準極に対してプラス側、マイナス側に変位することを特徴とする。
【考案の効果】
【０００８】  本考案により、溶液の酸化還元電位を測定する装置において、作用極をその表面に生成する被膜を除去できる電位にシフトする事により、前記作用極の表面をメタルの綺麗な表面に保ち、正確に酸化還元電位を測定する事ができる機構となった。
【図面の簡単な説明】
【０００９】
【図１】本考案の電極洗浄機構付き酸化還元電位測定装置の概要図
【図２】電圧計の表示例
【図３】作用極に流れる電流の測定例
【図４】人間の唾液の酸化還元電位の測定例
【考案を実施するための形態】
【００１０】  以下、本考案の実施の形態を図に基づいて説明する。
【実施例】
【００１１】  図１は、本発明の実施の形態に係わる酸化還元電位測定装置の概要図であり、作用極５に接続されたリレー９、リレー１０、リレー１１は、それぞれタイマー６、タイマー７、タイマー８で制御されている。【００１２】  リレー９に繋がっている抵抗１４と電源１２は、作用極５を酸化電位側に電位シフトさせるもので、電源１２は３〜６Ｖの電池電源であり、抵抗１４は１ＭΩ程度の高抵抗であり、定電流源に疑似させるものである。【００１３】  リレー１０に繋がっている抵抗１５と電源１３は、作用極５を還元電位側に電位シフトさせるもので、電源１３は電源１２に連動して正負反転する電圧源である。【００１４】  抵抗１５は１ＭΩ程度の高抵抗であり、その理由も抵抗１４の場合と同様である。【００１５】  リレー１１は作用極５と基準極３を短絡させるためのものである。【００１６】  作用極５の電位をシフトし、作用極５と基準極３との間には作用極５の表面が酸化している時には、作用極５が陰極に、基準極３が陽極に成る様に電流が流れ、作用極５の表面を還元させる。【００１７】  作用極５を電位シフトし、表面の酸化物を完全に還元除去する事で作用極５の表面をメタルに戻し、正常な測定を保持することができることになる。【００１８】  図２、図３は図１のタイマー６、タイマー７、タイマー８の制御のタイミングを示すもので、リレー９、リレー１０、リレー１１は重なりが無いように動作し、動作時間はＴ１、Ｔ２、Ｔ３で示してある。【００１９】  Ｔ１とＴ２は同じ時間とし１秒から５秒の適当な時間とし、Ｔ３は１秒から３秒の適当な時間とした。【００２０】図２は、電圧計２の表示例であり、測定溶液４によって大きく変化する。【００２１】図３は、作用極５に流れる電流の測定例であり、電源１２，電源１３の電圧が３Ｖの場合の例である。【００２２】  作用極５として白金電極を用い、基準極３として銀塩化銀電極を用いて、本考案の電極洗浄機構１付き酸化還元電位測定装置で、人間の唾液を測定サンプルとして測定した結果を図４に実施例データとして示した。【００２３】  参考に電極洗浄機構１を作動させずに、測定を行った結果を比較例データとして図４に示した。【００２４】  さらに作用極５である白金電極を使用前に、サンドペーパーで磨き、電極洗浄機構１を作動させずに、測定を行った結果を参考例データとして図４に示した。【００２５】  電極洗浄機構１を作動させずに測定を行った結果である比較例データは、高い値を示しておりこれは酸化被膜などの形成によるものと考えられる。【００２６】  電極洗浄機構１付き酸化還元電位測定装置を作動させて測定された酸化還元電位の値（実施例データ）は、作用極５である白金電極を、使用前にサンドペーパーで磨き、電極洗浄機構１を作動させずに、測定を行った結果である参考例データに近い値になることが明らかになった。
【産業上の利用の可能性】
【００２７】  本考案は、唾液のような正確、簡便な測定が必要となる試料溶液の酸化還元測定装置を提供する。
【符号の説明】
【００２８】  １  電極洗浄機構
２  電圧計
３  基準極
４  測定溶液
５  作用極
６  タイマー
７  タイマー
８  タイマー
９  リレー
１０  リレー
１１  リレー
１２  電源
１３  電源
１４  抵抗
１５  抵抗
【図１】
0003215435.tif 000003
【図２】
0003215435.tif 000004
【図３】
0003215435.tif 000005
【図４】
0003215435.tif 000006